(57)【要約】【課題】メディアスロットの開閉扉において、薄さの維持とロック機構とを両立させる。【解決手段】ヒンジ機構部を有する開閉扉ベースと、開閉扉ベースに対して第１方向にスライド可能な開閉扉カバーとを備え、開閉扉カバーは、メディアスロット側の部材に形成された固定側ラッチと第１方向においてかみ合う可動側ラッチと、可動側ラッチの近傍に形成された突起部とを備え、開閉扉ベースは、突起部に対応した凹部が一辺に形成され、一辺が突起部と接する位置と、接しない位置とに切り替えられるように第１方向と直交する方向にスライド可能なスライド板を備える。【選択図】図１
2014078295.tif 000002
【特許請求の範囲】
【請求項１】
メディアスロットの開閉扉であって、
ヒンジ機構部を有する開閉扉ベースと、前記開閉扉ベースに対して第１方向にスライド可能な開閉扉カバーとを備え、
前記開閉扉カバーは、
メディアスロット側の部材に形成された固定側ラッチと前記第１方向においてかみ合う可動側ラッチと、前記可動側ラッチの近傍に形成された突起部とを備え、
前記開閉扉ベースは、
前記突起部に対応した凹部が一辺に形成され、前記一辺が前記突起部と接する位置と、接しない位置とに切り替えられるように前記第１方向と直交する方向にスライド可能なスライド板を備えている、
ことを特徴とするメディアスロットの開閉扉。
【請求項２】
前記開閉扉ベースは、セキュリティロックを差し込み可能な開閉扉ベース側スロットを備え、
前記スライド板は、前記一辺が前記突起部と接する位置において、前記開閉扉ベース側スロットと重なるスライド板側スロットが形成されていることを特徴とする請求項１に記載のメディアスロットの開閉扉。
【請求項３】
前記ヒンジ機構部は、閉じた状態の向きで前記メディアスロット側の部材と嵌め合わせる方向に向けて下る傾斜が形成されているヒンジピンを備えていることを特徴とする請求項１または２に記載のメディアスロットの開閉扉。
【発明の詳細な説明】
【技術分野】
【０００１】
本発明は、メディアスロットの開閉扉に関し、特に、ヒンジ構造を有する開閉扉のロック機構に関する。
【背景技術】
【０００２】
フィールド機器等のデータを収集するペーパーレスレコーダやパーソナルコンピュータ等の電子機器の多くは、可搬型の記録メディアとのデータ授受を行なうため、メディアスロットを備えている。一般に、メディアスロットには、防塵やデザイン上の観点からカバーが取り付けられており、メディアスロットのカバーとして、ヒンジ構造を有する開閉扉が広く用いられている。
【０００３】
図１８は、開閉扉を備えた従来のペーパーレスレコーダの外観図であり、図１８（ａ）は、開閉扉を閉じた状態を示し、図１８（ｂ）は、開閉扉を開いた状態を示している。
【０００４】
図１８（ａ）に示すように、ペーパーレスレコーダ３０は、本体３００、ディスプレイ３１０、前面カバー３２０、ヒンジ機構３３１を有する開閉扉３３０、押し下げ式のノブ３３２、操作キー３４０を備えている。押し下げ式のノブ３３２を操作すると、ヒンジ機構３３１により、開閉扉３３０は図１８（ｂ）に示すように開き、メディアスロット３５０が露出する。
【０００５】
開閉扉３３０が開くことでメディアスロット３５０にアクセスすることができるようになるが、メディアスロット３５０に自由にアクセスできることは、記録データのセキュリティの観点から好ましくない。
【０００６】
そこで、特許文献１では、開閉扉３３０にロック機構を付加することが提案されている。特許文献１に記載された発明によれば、図１９に示すように、回転方向によってノブ３３２が押し下げられるのを抑止する構造のロック板３３３を開閉扉３３０に設けている。ロック板３３３は、水平面上を回転する円板の両側面にレバーが設けられた形状をしている。
【０００７】
ロック板３３３の回転操作によりノブ３３２を押し下げられないようにすると、開閉扉３３０を開けることができなくなるため、開閉扉３３０はロック状態となる。ロック板３３３の回転操作は図示しないピン穴に細い棒を差し込んで行なうようになっている。
【先行技術文献】
【特許文献】
【０００８】
【特許文献１】特開２００７−４７０６１号公報
【発明の概要】
【発明が解決しようとする課題】
【０００９】
特許文献１に記載された発明では、ペーパーレスレコーダ３００の不使用時に、ロック板３３３を操作してロック状態にしておくことで、メディアスロット３５０への自由なアクセスを制限することが可能となる。しかしながら、ロック板３３３を水平面上で回転させるスペースが必要となるため、開閉扉３３０にある程度の厚みが要求される。
【００１０】
近年、ペーパーレスレコーダ３００の高機能化、多機能化から本体の厚みが増加する傾向にあり、特に、ディスプレイにタッチパネル機能を付加した場合にはその分厚みが増すことになる。一方で、ダウンサイジングの要求があり、また従来機種とのリプレースが可能なサイズの実現が必要であるため、開閉扉３３０は、薄いほど望ましい。
【００１１】
そこで、本発明は、メディアスロットの開閉扉において、薄さの維持とロック機構とを両立させることを目的とする。
【課題を解決するための手段】
【００１２】
上記課題を解決するため、本発明のメディアスロットの開閉扉は、ヒンジ機構部を有する開閉扉ベースと、前記開閉扉ベースに対して第１方向にスライド可能な開閉扉カバーとを備え、前記開閉扉カバーは、メディアスロット側の部材に形成された固定側ラッチと前記第１方向においてかみ合う可動側ラッチと、前記可動側ラッチの近傍に形成された突起部とを備え、前記開閉扉ベースは、前記突起部に対応した凹部が一辺に形成され、前記一辺が前記突起部と接する位置と、接しない位置とに切り替えられるように前記第１方向と直交する方向にスライド可能なスライド板を備えていることを特徴とする。
ここで、前記開閉扉ベースは、セキュリティロックを差し込み可能な開閉扉ベース側スロットを備え、前記スライド板は、前記一辺が前記突起部と接する位置において、前記開閉扉ベース側スロットと重なるスライド板側スロットが形成されているようにしてもよい。
また、前記ヒンジ機構部は、閉じた状態の向きで前記メディアスロット側の部材と嵌め合わせる方向に向けて下る傾斜が形成されているヒンジピンを備えることができる。
【発明の効果】
【００１３】
本発明によれば、メディアスロットの開閉扉において、薄さの維持とロック機構とを両立させることができる。
【図面の簡単な説明】
【００１４】
【図１】本実施形態に係るペーパーレスレコーダの外観を示す図である。
【図２】ヒンジ機構により開閉扉を開けた状態を示す図である。
【図３】開閉扉の構造を説明する図である。
【図４】開閉扉カバーの裏面を示す図である。
【図５】開閉扉の裏面を示す図である。
【図６】ラッチのかみ合わせ面を横方向から模式的に表わした図である。
【図７】開閉扉カバーの開閉扉突起部を説明する図である。
【図８】開閉扉のロック機構について説明する図である。
【図９】スライド板を示す図である。
【図１０】ロック状態、アンロック状態を説明する図である。
【図１１】スライド板とスライド板操作部とを説明する図である。
【図１２】スライド板操作部の操作を説明する図である。
【図１３】スライド板の別例を示す図である。
【図１４】本実施形態に係るペーパーレスレコーダのヒンジ機構を説明する図である。
【図１５】ヒンジ機構の拡大図である。
【図１６】開閉扉のヒンジピン部について説明する図である。
【図１７】前面カバーのヒンジ穴部について説明する図である。
【図１８】開閉扉を備えた従来のペーパーレスレコーダの外観図である。
【図１９】従来のロック機構について説明する図である。
【発明を実施するための形態】
【００１５】
本発明の実施の形態について図面を参照して説明する。本実施形態は、本発明の開閉扉をペーパーレスレコーダに適用した場合について説明するが、本発明は、ペーパーレスレコーダに限られず、メディアスロットをカバーする開閉扉を備えた種々の電子機器に適用することができる。
【００１６】
図１は、本実施形態に係るペーパーレスレコーダの外観を示す図である。本図に示すように、ペーパーレスレコーダ１０は、本体１００、タッチパネル式のディスプレイ１１０、前面カバー１２０、ヒンジ機構１３１を有する開閉扉１３０、セキュリティスロット１３２、メニューキー１４０、ノブ１６１を備えている。
【００１７】
ここで、セキュリティスロット１３２は、汎用的なＬ字、Ｔ字型のセキュリティロックを装着可能なスロットであり、セキュリティロックを差し込んでロックすることにより、開閉扉１３０を完全に開けることができなくなる。セキュリティスロット１３２は、セキュリティロックを差し込める状態（ロック状態）と差し込めない状態（アンロック状態）の２通り状態をとることができる。セキュリティスロット１３２の構造については後述する。
【００１８】
図２は、ヒンジ機構１３１により開閉扉１３０を開けた状態を示す図である。本図に示すように、開閉扉１３０が開くと、パワースイッチ１４１、メディアスロット１４２、スタート・ストップキー１４３が露出する。なお、メニューキー１４０は、開閉扉１３０を貫通しており、開閉扉１３０を閉じた状態でも操作できるようになっている。
【００１９】
これに対し、パワースイッチ１４１、スタート・ストップキー１４３は、開閉扉１３０を開けなければ操作できないようになっている。パワースイッチ１４１は、電源のオンオフを制御するスイッチであり、スタート・ストップキー１４３はデータ収集の開始・停止を指示するスイッチであり、いずれも記録データのセキュリティの観点から重要なスイッチである。もちろん、メディアスロット１４２も開閉扉１３０を開けなければアクセスすることができない。
【００２０】
開閉扉１３０は、図３（ａ）に示すように、開閉扉ベース１５０と、開閉扉カバー１６０とを備えている。開閉扉カバー１６０は、図３（ｂ）に示すように、開閉扉ベース１５０に対して上下にスライド移動することができるようになっている。鉛直面上でスライドするため、開閉扉１３０を薄く設計することができる。
【００２１】
開閉扉カバー１６０は、図示しないばね機構と移動を規制するガイドにより、通常は上方の位置で安定しており、ノブ１６１を下方に押し下げている期間だけ開閉扉カバー１６０全体が下方に移動する。開閉扉カバー１６０が上方で安定している状態で、開閉扉カバー１６０と開閉扉ベース１５０の上辺がほぼ揃った位置となり、ノブ１６１を押し下げたときの開閉扉カバー１６０の移動距離は微小で足りる。具体的には、後述するラッチのかみ合わせが外れる距離であればよい。
【００２２】
開閉扉ベース１５０は、ヒンジピン部１５１と開閉扉ベース側スロット１５２を備えている。ヒンジピン部１５１は、ヒンジ機構１３１の一部を構成し、開閉扉ベース側スロット１５２は、セキュリティスロット１３２の一部を構成する。
【００２３】
図４は、開閉扉カバー１６０の裏面を示す図である。本図に示すように、開閉扉カバー１６０の裏面には、上側にかみ合わせ面を有する可動側ラッチ１６２が形成されている。図５に示すように、可動側ラッチ１６２は、ノブ１６１の操作により開閉扉カバー１６０が上下にスライドするのに合わせて開閉扉ベース１５０に対して上下に移動する。
【００２４】
可動側ラッチ１６２のかみ合わせ面を横方向から模式的に表わした図６に示すように、前面カバー１２０の、可動側ラッチ１６２に対応する箇所には、下側にかみ合わせ面を有する固定側ラッチ１２１が形成されている。
【００２５】
固定側ラッチ１２１は、開閉扉１３０が閉じているときに、開閉扉カバー１６０のスライド状態が通常時に可動側ラッチ１６２とかみ合うようになっており、この状態で、開閉扉１３０が開かないようになっている。
【００２６】
そして、ノブ１６１の操作により開閉扉カバー１６０を下方向にスライドさせると、固定側ラッチ１２１と可動側ラッチ１６２とのかみ合わせ状態が解除され、ノブ１６１を手前方向に引くことで開閉扉１３０を開けることができる。可動側ラッチ１６２は傾斜状になっているため、開閉扉１３０を閉じるときは、開閉扉１３０を前面カバー１２０方向に押すだけで足りる。
【００２７】
なお、開閉扉カバー１６０の可動側ラッチ１６２の下部には、開閉扉突起部１６３が設けられている。図７に示すように、開閉扉突起部１６３は、複数個設けることができ、後述するようにロック状態で開閉扉カバー１６０の下方向のスライドを抑止する機能を有するとともに、可動側ラッチ１６２を補強する機能も担っている。
【００２８】
次に、開閉扉１３０のロック機構について図８を参照して説明する。本図に示すように、開閉扉ベース１５０は、スライド板１７０が備えられていて、スライド板操作部１７８の操作により、左右にスライド移動できるようになっている。スライド板１７０は、開閉扉カバー１６０の可動側ラッチ１６２の下部に、スライド板１７０の上辺が、開閉扉突起部１６３の下端と接するように配置されている。スライド板１７０は、鉛直面上でスライドするため、開閉扉１３０を薄く設計することができる。
【００２９】
図９は、スライド板１７０を示す図である。本図に示すように、スライド板１７０は、直線上の上辺に形成されたＶ字形状のスライド板切り欠き部１７２とスライド板側スロット１７１とを備えている。スライド板側スロット１７１は、セキュリティスロット１３２の一部を構成し、開閉扉ベース側スロット１５２と重なることで、セキュリティスロット１３２がセキュリティロックを差し込める状態となる。
【００３０】
スライド板切り欠き部１７２の個数は、開閉扉カバー１６０の可動側ラッチ１６２の下部に設けられた開閉扉突起部１６３の数に合わせるものとする。また、スライド板切り欠き部１７２の間隔は、開閉扉突起部１６３の間隔に合わせるものとする。
【００３１】
図１０（ａ）に示すように、各スライド板切り欠き部１７２が各開閉扉突起部１６３に対応する位置のときは、スライド板１７０が開閉扉突起部１６３を干渉しないため、開閉扉カバー１６０は、下方向にスライドすることができる。すなわち、開閉扉１３０はアンロック状態であり、ノブ１６１の操作により開閉扉１３０を開けることができる。
【００３２】
これに対し、スライド板１７０を横にスライドさせて、図１０（ｂ）に示すように、スライド板切り欠き部１７２が開閉扉突起部１６３とずれた位置になると、スライド板１７０の上辺と開閉扉突起部１６３とが接することになり、開閉扉カバー１６０を、下方向にスライドさせることができなくなる。すなわち、開閉扉１３０はロック状態となり、開閉扉１３０は開けることができない。
【００３３】
開閉扉１３０がロック状態となるスライド板１７０の位置で、スライド板側スロット１７１と開閉扉ベース側スロット１５２とが重なるようになっており、セキュリティスロット１３２がセキュリティロックを差し込める状態となる。
【００３４】
したがて、セキュリティスロット１３２にセキュリティロックを差し込んでロックすることにより、開閉扉１３０のロック状態がセキュリティロックにより保持される。これにより、記録データのセキュリティは堅牢となる。また、セキュリティロックを固定設備に連結することで、ペーパーレスレコーダ１０自体の盗難防止になる。
【００３５】
スライド板１７０のスライド移動は、図１１に示すように、スライド板１７０を保持するスライド板操作部１７８を操作することにより行なうことができる。スライド板操作部１７８のスライド操作は、図１２に示すように、開閉扉ベース１５０の底面１５３で行なうことができる。
【００３６】
以上説明したように、本実施形態のペーパーレスレコーダ１０は、スライド板１７０の横方向の移動により開閉扉１３０をロック状態とすることができるため、開閉扉１３０の厚みを薄くすることができる。すなわち、開閉扉１３０の薄さの維持とロック機構とが両立されることになる。
【００３７】
スライド板１７０によるロック状態は、単に、固定側ラッチ１２１と可動側ラッチ１６２とがかみ合った状態よりも強固で確実となる。例えば、アメリカの規格であるＭＥＭＡ４では、防水試験として２５０Ｌ／ｍｉｎもの水がかけられるが、スライド板１７０によるロック状態は、この衝撃にも耐えることができる。
【００３８】
さらに、スライド板１７０によるロック状態をセキュリティロックで保持することにより、セキュリティロックの解錠可能者のみが開閉扉１３０を開けることができるようになる。この結果、記録データの保護、記録メディアの保護が確実となる。
【００３９】
なお、スライド板１７０のスライド板切り欠き部１７２は、Ｖ字状に限られず、図１３（ａ）に例示するように種々の凹型形状とすることができる。また、図１３（ｂ）に示すように、スライド板１７０を、円周の一部に切り欠き１７２を有する円板状とし、スライド板操作部１７８のスライド操作をスライド板１７０の回転に変換するようなラックアンドピニオン構造等により、スライド板１７０の円周が開閉扉突起部１６３に接する状態と接さない状態とを切り替えるようにしてもよい。この場合も、スライド板１７０の円周が開閉扉突起部１６３に接する状態で、セキュリティスロット１３２がセキュリティロックを差し込める状態となるように、スライド板１７０にスライド板側スロット１７１を形成するようにする。
【００４０】
また、本実施形態では、ヒンジ機構１３１が開閉扉１３０の下方に形成されている場合について説明したが、ヒンジ機構１３１が開閉扉１３０の上方や左右に形成されている場合にも本発明を適用することができる。
【００４１】
ところで、スライド板１７０による開閉扉１３０のロック状態が強固であっても、ヒンジ機構１３１が容易に取り外せるようだと、ロック状態の意味がなくなってしまう。一方で、生産性を考慮すると、ヒンジ機構１３１の組立の容易さも要求される。
【００４２】
例えば、金属シャフトを開閉扉１３０の左右に渡したシャフトヒンジを用いるとヒンジ機構１３１の十分な強度を得ることができるが、組立が容易でない上、シャフトがスライド板１７０やスライド板操作部１７８と干渉してしまうためシャフトヒンジを採用することは困難である。また、一方のヒンジを固定ピンとし、他方のヒンジをばねで沈み込む可動ピンとする構成では、組立は容易となるとが、容易に取り外すことができてしまう。
【００４３】
そこで、本実施形態のペーパーレスレコーダ１０のヒンジ機構１３１は、図１４に示すように、前面カバー１２０に設けられたヒンジ穴部１２２に、開閉扉１３０のヒンジピン部１５１を嵌め込む構造としている。ヒンジピン部１５１、ヒンジ穴部１２２とも１ウエイの傾斜が付けられている。この構造は左右共通である。組立時には、本図に示すように、開閉扉１３０を、閉じた状態の向きにして前面カバー１２０方向に押し込めばよいため、容易に組み立てることができる。図１５は、ヒンジ機構１３１の拡大図である。
【００４４】
開閉扉１３０のヒンジピン部１５１は、図１６に示すように、閉じた状態の向きで前面カバー１２０に嵌め合わせる方向Ａに向けて下る傾斜が形成されている。また、前面カバー１２０のヒンジ穴部１２２は、図１７に示すように、開閉扉１３０に嵌め合わせる方向Ｂに向けて下る斜面が形成されている。
【００４５】
組立時には、開閉扉１３０を閉じた状態の向きにすることで、ヒンジピン部１５１に形成された斜面と、ヒンジ穴部１２２に形成された斜面とが滑らかに接触することで、ヒンジピン部１５１とヒンジ穴部１２２との嵌め合わせを容易に行なうことができる。
【００４６】
組立後は、開閉扉１３０を閉じた状態では、ヒンジピン部１５１の斜面反対側と、ヒンジ穴部１２２の壁とが接することになるため、容易に取り外すことはできない。このため、開閉扉１３０が閉じているロック状態においてヒンジ機構１３１が取り外されることを防ぐことができる。
【００４７】
開閉扉１３０が開いている状態では、ヒンジピン部１５１の斜面の一部とヒンジ穴部１２２の壁とが接することになり、多少取り外しやすくなるが、開閉扉１３０が開いている状態で、開閉扉１３０が取り外されたとしても記録データのセキュリティに関する問題は生じない。
【符号の説明】
【００４８】
１０…ペーパーレスレコーダ、３０…従来のペーパーレスレコーダ、１００…本体、１１０…タッチパネル式ディスプレイ、１２０…前面カバー、１２１…固定側ラッチ、１２２…ヒンジ穴部、１３０…開閉扉、１３１…ヒンジ機構、１３２…セキュリティスロット、１４０…メニューキー、１４１…パワースイッチ、１４２…メディアスロット、１４３…スタート・ストップキー、１５０…開閉扉ベース、１５１…ヒンジピン部、１５２…開閉扉ベース側スロット、１５３…開閉扉ベース底面、１６０…開閉扉カバー、１６１…ノブ、１６２…可動側ラッチ、１６３…開閉扉カバー突起部、１７０…スライド板、１７１…スライド板側スロット、１７２…スライド板切り欠き部、１７８…スライド板操作部、３１０…本体、３２０…前面カバー、３３０…開閉扉、３３１…ヒンジ機構、３３２…ノブ、３３３…ロック板、３４０…操作キー、３５０…メディアスロット
【図１】
2014078295.tif 000003
【図２】
2014078295.tif 000004
【図３】
2014078295.tif 000005
【図４】
2014078295.tif 000006
【図５】
2014078295.tif 000007
【図６】
2014078295.tif 000008
【図７】
2014078295.tif 000009
【図８】
2014078295.tif 000010
【図９】
2014078295.tif 000011
【図１０】
2014078295.tif 000012
【図１１】
2014078295.tif 000013
【図１２】
2014078295.tif 000014
【図１３】
2014078295.tif 000015
【図１４】
2014078295.tif 000016
【図１５】
2014078295.tif 000017
【図１６】
2014078295.tif 000018
【図１７】
2014078295.tif 000019
【図１８】
2014078295.tif 000020
【図１９】
2014078295.tif 000021